(57)【要約】【課題】  上方に棚や他の設置物がある場所にも問題なく設置できると共に、食器の出し入れもしやすく、更に、構造上の安定性に優れるようにする。【解決手段】  扉４２が開放するときに、下扉４２ａが回動されて上扉４２ｂが下扉４２ａに沿いスライドすることにより、下扉４２ａの上に上扉４２ｂが重なる。これにより、上方に棚や他の設置物がある場所でも、それらに上扉４２ｂが当たるようなことがなく、問題なく設置できる。又、上扉４２ｂが食器の出し入れの邪魔になることもなく、食器の出し入れをしやすくできる。そして、下扉４２ａと上扉４２ｂはスライド可能に結合されて、開閉いずれのときも同体で動作するものであり、安定した構造でその開閉ができる。【選択図】  図１
2006136613.tif 000002
【特許請求の範囲】
【請求項１】
内部で食器を洗浄する洗浄室を有すると共に、その洗浄室に対して食器を出し入れするための開口部を前面側に有する本体と、
この本体に回動可能に支持された下扉、並びにこの下扉にスライド可能に結合された上扉から成り、前記開口部を開閉する扉とを具備し、
その扉が、開放したときに、下扉の上に上扉を重ねることを特徴とする食器洗浄機。
【請求項２】
扉を閉鎖したときに、下扉の表面と上扉の表面とが面一になることを特徴とする請求項１記載の食器洗浄機。
【請求項３】
下扉と上扉のいずれか一方がガイド部を有し、他方がそのガイド部に係合する係合部を有して、下扉に対する上扉のスライドをガイドすることを特徴とする請求項１記載の食器洗浄機。
【請求項４】
係合部が下扉又は上扉の両側部に設けた係合部材に存して、その係合部材がガイド部を有した上扉又は下扉を挟むことを特徴とする請求項３記載の食器洗浄機。
【請求項５】
本体が、扉を閉鎖したときに、上扉又は下扉の一部が嵌入する嵌入部を有することを特徴とする請求項１記載の食器洗浄機。
【請求項６】
扉を開放したときに、上扉が下扉より前方に突出することを特徴とする請求項１記載の食器洗浄機。
【請求項７】
上扉が、下部を連結部材で本体に連結されることにより、下扉の回動に連動してスライドすることを特徴とする請求項１記載の食器洗浄機。
【請求項８】
本体が、扉が開放するときに、上扉をガイドするガイド部を有することを特徴とする請求項１記載の食器洗浄機。
【請求項９】
扉が開放するときに、下扉の回動方向とは反対の方向に回動するレバーを有し、このレバーと上扉とを連結部材で連結することにより、上扉が下扉の回動に連動してスライドすることを特徴とする請求項１記載の食器洗浄機。
【請求項１０】
扉の取手を上扉に設けたことを特徴とする請求項１記載の食器洗浄機。
【発明の詳細な説明】
【技術分野】
【０００１】
本発明は、扉を下扉と上扉とに分けて有する食器洗浄機に関する。
【背景技術】
【０００２】
従来より、食器洗浄機においては、扉を下扉と上扉とに分けて有するものが供されている。図１２はその第１例を示しており、本体１の前面部に、扉２が下扉２ａと上扉２ｂとに分けて設けられ、開放時に、該扉２は、下扉２ａと上扉２ｂとで上方に折り畳まれて開放されるようになっている。
図１３は第２例を示しており、本体１１の前面部に、扉１２が下扉１２ａと上扉１２ｂとに分けて設けられ、開放時に、該扉１２は、下扉１２ａが下方へ回動され、上扉１２ｂが上方へ回動されて開放されるようになっている。
【０００３】
図１４は第３例を示しており、本体２１の前面側に、扉２２が下扉２２ａと上扉２２ｂとに分けて設けられ、開放時に、該扉２２は、下扉２２ａが下方へ回動され、上扉２２ｂがワイヤ２３ａを主体とする連動機構２３により上方へスライド移動されて、開放されるようになっている。
そして、図１５は第４例を示しており、本体３１の前面部に、扉３２が下扉３２ａと上扉３２ｂとに分けて設けられ、開放時に、該扉３２は、下扉３２ａが下方へ回動され、上扉３２ｂがリンク３３ａを主体とする連動機構３３により本体３１から離間されて下扉３２ａの上に重ね置かれることにより、開放されるようになっている。
【特許文献１】特開２００２−１０９６１号公報
【発明の開示】
【発明が解決しようとする課題】
【０００４】
上記従来のもののうち、第１例のものでは、開放時、扉２が下扉２ａと上扉２ｂとで上方に折り畳まれて開放されるものの、それら下扉２ａ及び上扉２ｂが本体１上で起立するため、上方に棚等が低めにあれば、それに下扉２ａ又は上扉２ｂが当たり、扉２の開放が充分にできなくなる。よって、そのような場所には食器洗浄機を設置することができないという問題点を有していた。
【０００５】
これに対して、第２例のものでは、開放した上扉１２ｂはほゞ水平に止められるものであり、従って、上方に低めに棚等があってもそれに上扉１２ｂが当たる心配はないものの、この上扉１２ｂが本体１１の前方に突き出るため、本体１１内の洗浄室に対する食器の出し入れがしにくい、すなわち、上扉１２ｂが食器の出し入れの邪魔になるという問題点を有していた。
【０００６】
一方、第３例のものでは、開放時、上方へスライド移動された上扉２２ｂが本体２１上に位置するため、第１例のものほどではないものの、上方に位置する他の設置物があれば、それに上扉２２ｂが当たり、扉２２の開放が充分にできなくなるので、そのような場所には食器洗浄機を設置することができないという問題点を有していた。
【０００７】
そして、第４例のものでは、開放した上扉３２ｂは下扉３２ａの上に重ね置かれるものであり、従って、上方に棚や他の設置物があっても、それに上扉３２ｂが当たる心配はなく、又、上扉３２ｂが食器の出し入れの邪魔になることもないものの、下扉３２ａと上扉３２ｂとが分離して別々に動作する構造であるため、構造上の安定性に欠けるという問題点を有していた。
【０００８】
本発明は上述の事情に鑑みてなされたものであり、従ってその目的は、上方に棚や他の設置物がある場所にも問題なく設置できると共に、食器の出し入れもしやすく、更に、構造上の安定性に優れる食器洗浄機を提供するにある。
【課題を解決するための手段】
【０００９】
上記目的を達成するために、本発明の食器洗浄機においては、内部で食器を洗浄する洗浄室を有すると共に、その洗浄室に対して食器を出し入れするための開口部を前面側に有する本体と、この本体に回動可能に支持された下扉、並びにこの下扉にスライド可能に結合された上扉から成り、前記開口部を開閉する扉とを具備し、その扉が、開放したときに、下扉の上に上扉を重ねることを特徴とする。
【発明の効果】
【００１０】
上記手段によれば、扉は、開放するときに、下扉が回動されて上扉が下扉に沿いスライドすることにより、下扉の上に上扉が重なるものであり、それによって、上方に棚や他の設置物がある場所でも、それらに上扉が当たるようなことがなく、問題なく設置できる。又、開放して下扉の上に重なった上扉は食器の出し入れの邪魔になることもなく、食器の出し入れをしやすくできる。そして、下扉と上扉はスライド可能に結合されて、開閉いずれのときも同体で動作するものであり、安定した構造でその開閉ができる。
【発明を実施するための最良の形態】
【００１１】
以下、本発明の第１実施例（第１の実施形態）につき、図１ないし図５を参照して説明する。
まず、図３には、本体４１と、これの前面側に設けた下扉４２ａ及び上扉４２ｂから成る扉４２を示している。
【００１２】
このうち、本体４１は、外箱４３を外殻とし、これの内部に図２（ロ），（ハ）に示す内箱４４を配設して、該内箱４４の内部を洗浄室４５としている。この洗浄室４５は、前面側、この場合、前面部が開口部４６で示すように開口しており、洗浄室４５内には、その開口部４６から下食器かご４７と上食器かご４８とを引出し可能に収納している。これらの食器かご４７，４８は、後に図示する食器を収納配列するものであり、従って、開口部４６は、それら食器かご４７，４８の出し入れと共に食器の出し入れに供するようになっている。
【００１３】
このほか、洗浄室４５内には、図示しない噴水体やヒータ等を配設し、洗浄室４５外（本体４１内）に同じく図示しない給水弁や水位検知装置、洗浄ポンプ、図示しない排水ポンプ、及び送風機等を配設して、これらの洗浄手段及び乾燥手段により、上記両食器かご４７，４８に収納配置した食器の洗浄及び乾燥を行うようになっている。
【００１４】
なお、図３に示すように、扉４２には、上述の洗浄及び乾燥の運転について必要な操作をするための操作パネル４９を、下扉４２ａの表面部である前面部の上側に設けている。又、扉４２の後述するロック解除操作をするための操作部材である押釦５０を、上扉４２ｂの同じく表面部である前面部のほゞ中央に設けており、もっぱら乾燥時の排気をする排気口５１を、同上扉４２ｂの前面部の上記押釦５０より上方の部分に設けている。そして、扉４２の開閉操作をするための取手５２を、同上扉４２ｂの前面部の更に上記排気口５１より上方の部分（上扉４２ｂの前面部の最上部）に設けている。
【００１５】
図２（イ）及び図１（イ）に示すように、本体４１の前記開口部４６の下縁部とほゞ並び合う、内箱４４の左右両側の下部には、支持部材５３を取付けており（右側のもののみ図示）、これに対して、下扉４２ａの下端部の左右両側には、被支持部材５４を固定状態に突設していて、この被支持部材５４の中間部を支軸５５によって上記支持部材５３に、ひいては本体４１に上下回動可能に取付け支持している。
【００１６】
又、下扉４２ａの左右両側壁の内側には、図４にも示すように、溝５６を形成しており（これも右側のもののみ図示）、この溝５６はガイド部であって、詳細には、図２（イ）及び図１（イ）に示すように、下扉４２ａの左右両側壁の後側を下部から上部へ直線状に延び、そして、上部においては後側から前側へ斜状に延びている。これに対して、上扉４２ｂの左右両側壁の外側には、突起５７を設けており、この突起５７は係合部であって、これを上記下扉４２ａの溝５６に嵌入させて係合させ、この溝５６に突起５７が沿って移動するスライド構造にて、下扉４２ａに上扉４２ｂをスライド可能に結合している。
【００１７】
なお、突起５７を設けた上扉４２ｂの左右両側壁の外側には、詳細には図４に示すように、段部５８を形成し、これによって、上扉４２ｂの左右両側壁のその他の外側面と下扉４２ａの左右両側壁の外側面とがほゞ面一になるようにしている。又、上扉４２ｂの内面部には、前後に延びる突条５９ａを左右の両側部に有する（これも右側のもののみ図示）かごガイド５９を設けており、これによって、前記下食器かご４７の脚車６０を、ひいては下食器かご４７を引出し時に案内するようにしている。
【００１８】
更に、図２（イ）及び図１（イ）に示すように、前記被支持部材５４の先端部には、連結部材６１の一端部を連結ピン６２によって上下回動可能に連結しており、連結部材６１の他端部は、本体４１（内箱４４）に支軸６３によって中間部を上下回動可能に支持した連結部材６４の一端部に連結ピン６５によって上下回動可能に連結している。
【００１９】
一方、上扉４２ｂの左右両側壁の内側上部には、連結部材６６の一端部を連結ピン６７（図１（イ）参照）によって上下回動可能に連結しており、連結部材６６の他端部は、本体４１に支軸６８によって上下回動可能に支持し、その間の連結部材６６の中間部に連結部材６９の一端部を連結ピン７０によって上下回動可能に連結している。
そして、連結部材６９の他端部を、前記連結部材６４の他端部に連結ピン７１によって上下回動可能に連結している。
【００２０】
又、本体４１と前記連結ピン６５との間には、引張コイルスプリング７２を張架しており、これは上述の連結部材６１，６４，６９，６６から成る連動機構７３に下扉４２ａと上扉４２ｂとを閉鎖させる方向のモーメントを付与するもので、扉閉鎖付勢手段であり、それよりも、下扉４２ａと上扉４２ｂの自重による開放方向のモーメントが勝るようにしている。
このほか、上扉４２ｂの上端部の左右両側には、ラッチ７４を設けており、このラッチ７４は本体４１が有した係止部７５に係合するもので、その係合を前記押釦５０が押圧操作されることで解除するようにしている。
【００２１】
更に、下扉４２ａの上縁部には、図５に詳細に示すように、パッキン７６を設けており、これを上扉４２ｂが下縁部により下扉４２ａの上縁部との間で挟圧することにより、下扉４２ａと上扉４２ｂとの間の密封をするようにしている。加えて、本体４１の前記開口部４６の全周縁には、図２（ロ）、（ハ）に示すように、パッキン７７を設けており、これを上扉４２ｂと下扉４２ａとが本体４１との間で挟圧することにより、下扉４２ａ及び上扉４２ｂと本体４１との間の密封をするようにしている。
【００２２】
次に、上記構成のものの作用を述べる。
まず、扉４２（下扉４２ａ及び上扉４２ｂ）が図２（イ）及び図１（イ）に示す閉鎖状態にあるとして、この状態から、使用者が押釦５０を押圧操作すると、ラッチ７４が本体４１の係止部７５との係合を解除されることにより、それまでラッチ７４が本体４１の係止部７５に係合したことによる扉４２の閉鎖状態のロックが解除される。
【００２３】
この後、取手５２に手を懸けて扉４２を手前に引くと、図２（ロ）及び図１（ロ）に示すように、下扉４２ａが被支持部材５４を支持した支軸５５を中心に前下方へ回動し、被支持部材５４の他端部（連結ピン６２）により連結部材６１を後上方に押し上げる。よって、連結部材６４が一端部（連結ピン６５）を後上方に押し上げられて支軸６３を中心に反時計回りに回動し、他端部（連結ピン７１）によって連結部材６９を押し下げるから、連結部材６６が中間部（連結ピン７０）を押し下げられて、支軸６８を中心に反時計回りに回動する。これにより、上扉４２ｂが突起５７を下扉４２ａの溝５６に沿わせて下方へ移動し、下扉４２ａに対して下方へスライドする。そして最終的には、図２（ハ）及び図１（ハ）に示すように、上扉４２ｂ及び下扉４２ａがともに水平状態となって内面部を上に向け、下扉４２ａの上に上扉４２ｂが重なって開口部４６を開放した状態となる。
【００２４】
なお、この間の動作は、扉閉鎖付勢手段である引張コイルスプリング７２のばね力に勝る下扉４２ａと上扉４２ｂの自重による開放方向のモーメントにより、自動的に行われる。又、図２（ハ）及び図１（ハ）には、開放した上扉４２ｂの上に引出した下食器かご４７をも表している。
【００２５】
そして、上述のように開放した扉４２を閉鎖させるには、取手５２に手を懸けて上扉４２ｂを引き上げる。すると、上述とは逆に、連結部材６６が支軸６８を中心に時計回りに回動し、中間部（連結ピン７０）により連結部材６９を押し上げて、連結部材６４の他端部（連結ピン７１）を押し上げるから、連結部材６４が支軸６３を中心に時計回りに回動し、一端部（連結ピン６５）により連結部材６１を押し下げる。よって、下扉４２ａの被支持部材５４が連結部材６１により先端部を前方に押されて下扉４２ａを後上方に回動させる。
【００２６】
そして、それらの動作が上扉４２ｂの引き上げが進むことに連れて進み、それに共に、上扉４２ｂが突起５７を下扉４２ａの溝５６に沿わせて上方へ移動することにより、下扉４２ａに対して上方へスライドし、最終的に、図２（イ）及び図１（イ）に示したように、上扉４２ｂ及び下扉４２ａがともに垂直状態となって内面部を後に向け、下扉４２ａの上に上扉４２ｂが重なって開口部４６を閉鎖した状態となる。又、このとき、下扉４２ａと上扉４２ｂは、表面が面一となる。更に、ラッチ７４が係止部７５に係合し、扉４２を閉鎖状態にロックする。
【００２７】
このように本構成のものでは、扉４２は、開放するときに、下扉４２ａが回動されて上扉４２ｂが下扉４２ａに沿いスライドすることにより、下扉４２ａの上に上扉４２ｂが重なるものであり、それによって、上方に棚や他の設置物がある場所でも、それらに上扉４２ｂが当たるようなことがなく、問題なく設置できる。又、この場合、設置箇所の上方に余分なスペースを確保する必要がなく、その分、本体４１の高さを大きくすることができるので、食器の収容量を増すことができ、あるいは大きな食器の収容、洗浄に有利なようにできる。
更に、開放して下扉４２ａの上に重なった上扉４２ｂは食器の出し入れの邪魔になることもなく、食器の出し入れをしやすくできる。
【００２８】
そして、下扉４２ａと上扉４２ｂはスライド可能に結合されて、開閉いずれのときも同体で動作するものであり、従来（第４例）の下扉３２ａと上扉３２ｂとが分離して別々に動作する構造のものと違って、安定した構造でその開閉ができるので、構造上の安定性に優れる。又、それにより、下扉４２ａと上扉４２ｂとのずれもないので、扉４２閉鎖時のシール等も、より容易に確実にできるようになる。
【００２９】
加えて、本構成のものの場合、扉４２を閉鎖したときに、下扉４２ａの表面と上扉４２ｂの表面とが面一になるようにしており、それによって、外観を良くし得、商品性を高く得ることができる。
又、下扉４２ａが溝５６をガイド部として有し、上扉４２ｂが突起５７をそのガイド部に係合する係合部として有して、下扉４２ａに対する上扉４２ｂのスライドをガイドするようにもしており、それによって、そのスライドをスムーズに行わしめ得、使い勝手をよくし得る。
【００３０】
更に、本構成のものの場合、扉４２の取手５２を上扉４２ｂに設けており、それによって、取手５２を下扉４２ａに設けるより、扉４２の開閉操作を容易にでき、特に、扉４２（上扉４２ｂ）の上縁部の閉鎖、係止部７５に対するラッチ７４の係合等が確実にできる。
【００３１】
そのほか、本構成のものにおいては、上記係止部７５及びそれに係合して扉４２を閉鎖状態にロックするラッチ７４を有しており、扉４２の閉鎖状態のロックが簡単な構造でできる。
【００３２】
又、上扉４２ｂの内面部にはかごガイド５９を設けており、それによって、下食器かご４７を引出し時に案内し得るから、下食器かご４７の出し入れがスムーズにでき、引出したときには下食器かご４７の安定性を良くできるから、下食器かご４７に対する食器の出し入れも安定性良くでき、更に、食器から落ちる汁や水滴をかごガイド５９で受けて機外下方に垂らすことのないようにできる。
【００３３】
加えて、扉閉鎖付勢手段（引張コイルスプリング７２）を有しており、それによって、扉４２の開放方向のモーメントを軽減でき、扉４２を開放状態から閉鎖するときの使用者の操作力を軽減できるので、使い勝手を良くすることができる。
そして、扉４２の開放方向のモーメントが扉閉鎖付勢手段の付勢力に勝るようにもしており、それによって、扉４２は前述の開放動作を自動的に行うようになるから、更に使い勝手を良くすることができる。
【００３４】
以上に対して、図６ないし図１１は本発明の第２ないし第４実施例（第２ないし第４の実施形態）を示すもので、第１実施例と同一の部分には同一の符号を付して説明を省略し、異なる部分についてのみ述べる。
【００３５】
［第２実施例］
図６ないし図９に示す第２実施例においては、本体８１を、第１実施例の本体４１に代え、洗浄室８２に通じる開口部８３を、前面側、この場合、前面部から上面部にかけて有するものとしている。又、扉８４は、第１実施例の扉４２に代え、下扉８４ａと上扉８４ｂとから成るものとしており、そのうちの上扉８４ｂに設けた押釦８５と取手８６は、第１実施例の上扉４２ｂに設けた押釦５０と取手５２よりも共に横長なものとしている（下扉８４ａに設けた操作パネル４９、上扉８４ｂに設けた排気口５１は第１実施例のものと変わりがない）。
【００３６】
そして、この場合、図７（イ）に示すように、下扉８４ａの下端部の左右両側を支軸８７によって本体８１に直に上下回動可能に取付け支持している。又、ガイド部としての溝８８を、この場合、図９にも示すように、上扉８４ｂの左右両側面部の外側に形成している。しかも、この溝８８は、図７（イ）に示すように、第１実施例の溝５６とは対称的（上扉８４ｂの左右両側面部の前側を上部から下部へ直線状に延び、そして、下部においては前側から後側へ斜状に延びる形態）に形成している。
【００３７】
これに対して、下扉８４ａには、左右両側壁の上部の外側に耳のような張出部８９を係合部材として形成し、上扉８４ｂを挟むようにしている。又、この張出部８９の後部内側には、係合部として突起９０を図９に示すように形成しており、この突起９０を、上述の溝８８に嵌入させて係合させ、溝８８がこの突起９０を沿わせて移動するスライド構造にて、下扉８４ａに上扉８４ｂをスライド可能に結合している。
【００３８】
なお、この場合、張出部８９は下扉８４ａと一体であるが、別体としてねじ等により取付けるようにしても良い。又、上扉８４ｂの左右両側外面と下扉８４ａの左右両側外面とはほゞ面一で、それらより張出部８９のみが外側に突出している。更に、この場合の上扉８４ｂの内面部には、左右の両端部が上扉８４ｂより露出して上扉８４ｂの左右両側外面を構成するかごガイド９１を設けており、従って、上述の溝８８は、詳細には、このかごガイド９１の露出部９１ａ外面に形成している。しかして、かごガイド９１は、左右の両側部に前後に延びる突条９１ｂを有している。又、下食器かご４７には、第１実施例の脚車６０に代えて、円筒状の例えばプラスチックから成るすべり部材９２を装着しており、これをかごガイド９１が下食器かご４７の引出し時に案内するようにしている。
【００３９】
更に、図７（イ）に示すように、下扉８４ａの下部の後側には、連結部９３を形成しており、この連結部９３に連結部材９４の一端部を連結ピン９５によって上下回動可能に連結している。一方、上扉８４ｂの下部の後側には、連結部材９６を突設しており、この連結部材９６の先端部の内側に設けた突起９７（図では下記連結ピン９９と重なっている）を係合部として、本体８１の内箱４４外面に形成した「く」字形のガイド部である溝９８に係合させ、ひいては本体８１に連結している。又、連結部材９６の先端部には、前記連結部材９４の先端部を連結ピン９９によって上下回動可能に連結している。なお、連結部材９６は上扉８４ｂと固定のものであるが、上扉８４ｂと一体又は別体のいずれであっても良い。
【００４０】
加えて、本体８１と前記連結部材９４の先端部との間には、引張コイルスプリング１００を張架しており、これは第１実施例の引張コイルスプリング７２と同様に、上述の連結部材９４，９６から成る連動機構１０１に下扉８４ａと上扉８４ｂとを閉鎖させる方向のモーメントを付与するもので、扉閉鎖付勢手段であり、それよりも、下扉８４ａと上扉８４ｂの自重による開放方向のモーメントが勝るようにしている。
又、本体８１には、前部の中間部に前方に開放する凹部１０２を形成しており、この凹部１０２に上扉８４ａの一部である左右両側壁の下部１１１が嵌入するようにしている。従って、凹部１０２は上扉８４ａの一部が嵌入する嵌入部である。
【００４１】
そのほか、本体８１には、上扉８４ｂのラッチ７４が係合する係止部７５の後方に、レバー１０３を支軸１０４によって枢支し、更にその後方にスイッチ１０５を配設していて、レバー１０３が係止部７５に係合するラッチ７４により前側の一端部を押し下げられて、下側の他端部によりスイッチ１０５を操作し、それによって、食器洗浄機の運転が実行できるようにしている。従って、それらレバー１０３、スイッチ１０５は、上扉８４ｂの開閉、ひいては扉８４の開閉に応動するドアスイッチとして機能し、更には扉開閉検知手段として機能するようになっている。
【００４２】
そして、扉８４は、前記本体８１の開口部８３の形態に合わせて、本体８１の前面部から上面部にかけて回り込む形状としており、従って、上部（上扉８４ｂの上部）にその回り込んだ屈曲部１０６を有している。又、その扉８４の上端部は、本体８１の上面より低く位置し（寸法Ｌ１）、その寸法差分を、本体８１の上面の前部においては、斜状に形成している（斜面１０７）。なお、その斜面１０７は、この場合、平直面状であるが、本体８１の他の上面となだらかに連なる曲面状としても良い。
【００４３】
そのほか、この第２実施例においては、図７（ハ）及び図８（イ），（ロ）に、下食器かご４７及び上食器かご４８にそれぞれ収納配列した食器１０８を示しており、図８（ロ）には、洗浄室８２内における下食器かごガイド１０９及び上食器かごガイド１１０を示している。
【００４４】
さて、上記構成のものの場合、扉８４（下扉８４ａ及び上扉８４ｂ）が図７（イ）に示す閉鎖状態にあるとして、この状態から、使用者が押釦８５を押圧操作すると、ラッチ７４が本体８１の係止部７５との係合を解除されると共に、ラッチ７４によるレバー１０３の前側の一端部の押し下げが解除されて、該レバー１０３の下側の他端部によるスイッチ１０５の操作が解除されるので、食器洗浄機の運転が実行できない状態となる。
【００４５】
この後、取手８６に手を懸けて扉８４を手前に引くと、図７（ロ）に示すように、下扉８４ａが支軸８７を中心に前下方へ回動し、それと共に、上扉８４ｂが、溝８８を下扉８４ａの張出部８９が有した突起９０に沿わせて下方へ移動させることにより、下扉８４ａに対して下方へスライドし、最終的に、図７（ハ）に示すように、上扉８４ｂ及び下扉８４ａがともに水平状態となって内面部を上に向け、下扉８４ａの上に上扉８４ｂが重なって開口部８３を開放した状態となる。
【００４６】
又、この間、連動機構１０１においては、図７（イ）から（ロ），（ハ）に示すように、連結部材９６が先端部の突起９７を本体８１の溝９８に沿わせて移動させ、それにより、上扉８４ｂが後方に引かれるから、上扉８４ｂを上扉８４ｂの動作に連動させる。
なお、図８（イ）には、開放した上扉８４ｂの上に引出した下食器かご４７を表しており、図８（ロ）には、同じく引出した上食器かご４８を表している。又、それらの図８（イ），（ロ）及び図７（ハ）に示すように、扉を開放した状態では、上扉８４ｂが下扉８４ａより前方に突出する（寸法Ｌ２）寸法関係としている。
【００４７】
そして、上述のように開放した扉８４を閉鎖させるには、取手８６に手を懸けて上扉８４ｂを引き上げる。すると、上述とは逆に、下扉８４ａが支軸８７を中心に後上方へ回動し、それに伴い、上扉８４ｂが溝８８を下扉８４ａの張出部８９が有した突起９０に沿わせて上方へ移動させることにより、下扉８４ａに対して上方へスライドし、最終的に、図７（イ）に示したように、上扉８４ｂ及び下扉８４ａがともに垂直状態となって内面部を後に向け、下扉８４ａの上に上扉８４ｂが重なって開口部８３を閉鎖した状態となる。又、このときに、下扉８４ａと上扉８４ｂは、表面が面一となる。
【００４８】
更に、この間も、連動機構１０１は、図７（ハ）から（ロ），（イ）に示すように（開放時とは逆）変化して、下扉８４ａの動作に上扉８４ｂを連動させる。更に、ラッチ７４が係止部７５に係合し、扉４２を閉鎖状態にロックすると共に、レバー１０３がラッチ７４により前側の一端部を押し下げられて、下側の他端部によりスイッチ１０５を操作し、食器洗浄機の運転が実行できるようになる。
【００４９】
このように本第２実施例のものでは、蓋８４が第１実施例と同様に作用するものであり、従って、第１実施例と同様の作用効果を得ることができる。
又、それに加えて、本第２実施例のものの場合には、第１実施例と異なる下記の構成から、一層の効果を得ることができる。
【００５０】
第１に、ガイド部である溝８８に係合する突起９０（係合部）が下扉８４ａの両側部に設けた係合部材である張出部８９に存して、その張出部８９が溝８８を有した上扉８４ｂを挟むようにしている。これにより、下扉８４ａに対する上扉８４ｂのスライドを張出部８９によってもガイドできるので、より安定した構造で扉８４の開閉ができ、構造上の安定性に一層優れる。又、それにより、下扉８４ａと上扉８４ｂとのずれも一層ないので、扉８４閉鎖時のシール等も、一段と容易に確実にできるようになる。
【００５１】
又、この場合、下扉８４ａの両側面部と上扉８４ｂの両側面部とを段差なく、面一にできるので、本体８１の開口部８３も、その幅を上下部ともに同等に広く確保できて、食器１０８の収容量を大きく確保でき、且つ、シールも屈曲部の少ない簡単なパッキン等で確実にできる。
なお、この場合、溝８８を第１実施例のように下扉８４ａに設け、張出部８９及び突起９０を上扉８４ｂに設けるようにしても良い。
【００５２】
第２に、本体８１が、扉８４を閉鎖したときに、上扉８４ｂの一部である左右両側壁の下部１１１が嵌入する嵌入部として凹部１０２を有するようにしている。これにより、扉８４（下扉８４ａ、上扉８４ｂ）が閉鎖状態で本体８１に位置規制されて特に上下方向にずれることがなくなり、商品性を高めることができると共に、パッキンのずれ等がなくなって、シール効果を高めることができる。
なお、この場合も、凹部１０２には、上扉８４ｂの一部でなく、下扉８４ａの一部が嵌入するようにしても良く、それでも同様の効果を得ることができる。
【００５３】
第３に、扉８４を開放したときに、上扉８４ｂが下扉８４ａより前方に突出するようにしている。これにより、扉８４を開放操作するときに手を懸けやすくでき、扉８４を閉鎖操作するときには手を挟むことのないようにできて、使い勝手を良くすることができる。
第４に、上扉８４ｂが、下部を連結部材９６で本体８１に連結されることにより、下扉８４ａの回動に連動してスライドするようにしている。これにより、下扉８４ａに対する上扉８４ｂのスライドを、簡単な構成で確実に達成できる。
第５に、本体８１が、扉８４が開放するときに、上扉８４ｂをガイドするガイド部としての溝９８を有するようにしている。これにより、下扉８４ａに対する上扉８４ｂのスライドを、簡単な構成で、より確実に達成できる。
【００５４】
このほか、本第２実施例のものでは、下記の効果を得ることができる。
本体８１が開口部８３を前面部から上面部にかけて有する構成としたことにより、図８（ロ）に示したように、洗浄室８２の上部に対する食器１０８の出し入れ（上食器かご４８の、収納食器１０８を伴った出し入れ）を容易になすことができる。又、それに合わせて、扉８４を本体８１の前面部から上面部にかけて回り込む形状としており、それによる扉８４（上扉８４ｂ）先端部の屈曲部１０６によって、下食器かご４７の引出し過ぎを制する（かごガイド９１には下食器かご４７の引出しを所定位置で制するストッパがあり、万一、それを越えて下食器かご４７が引出されたときの制止）効果を得ることができる。
【００５５】
又、扉８４の閉鎖状態での上端部は、本体８１の上面より低く位置するようにしており、これによって、扉８４の開放状態での前方への出っ張り量を少なくできて、狭いキッチンスペースへの設置を容易にでき、しかも、食器かご４７，４８を出し入れするときに、開放状態の扉８４（上扉８４ｂ）の前端部が使用者の邪魔になることも少なく、使い勝手を良くすることができる。
【００５６】
加えて、扉８４の上端部が本体８１の上面より低く位置した寸法差分を、本体８１の上面の前部においては斜状（斜面１０７）に形成しており、これによって、扉８４の上端部が本体８１より段差をもって低く見えることがなくなり、見栄えを良くできるので、商品性を良好に確保することができる。
【００５７】
［第３実施例］
図１０に示す第３実施例においては、基本的に第２実施例と同様であり、それと異なる部分のみを述べる。この場合、上扉８４ｂには２条の溝１２１，１２２をガイド部として形成している。又、下扉８４ａの張出部８９には、２つの突起１２３，１２４を係合部として形成し、それを上記２条の溝１２１，１２２に係合させて、溝１２１，１２２が突起１２３，１２４をそれぞれ沿わせて移動するスライド構造にて、下扉８４ａに上扉８４ｂをスライド可能に結合している。
【００５８】
又、下扉８４ａの下端部の左右両側を支持した支軸８７の部分には、伝動部材としてのギヤ１２５を、支軸８７と同軸にて下扉８４ａの回動と共に回転するように設け、このギヤ１２５と噛合するギヤ１２６を、本体８１に支軸１２７によって支持したレバー１２８のその支軸１２７の部分に、支軸１２７と同軸にてレバー１２８の回動と共に回転するように設けている。
【００５９】
そして、レバー１２８の先端部と、上扉８４ｂの下部の後側から下方へ延設した連結部１２９の先端部とを、連結部材１３０にてそれぞれ連結ピン１３１，１３２により上下回動可能に連結している。更に、本体８１と連結部材１３０の中間部との間には、引張コイルスプリング１３３を張架しており、これは第１実施例の引張コイルスプリング７２及び第２実施例の引張コイルスプリング１００と同様に、上述のギヤ１２５，１２６、レバー１２８、連結部材１３０から成る連動機構１３４に下扉８４ａと上扉８４ｂとを閉鎖させる方向のモーメントを付与するもので、扉閉鎖付勢手段であり、それよりも、下扉８４ａと上扉８４ｂの自重による開放方向のモーメントが勝るようにしている。
このほか、本体８１には、レバー１２８の後方への回動を一定に規制するストッパ１３５を設けている。
【００６０】
以上の構成にて、扉８４（下扉８４ａ及び上扉８４ｂ）が図１０（イ）に示す閉鎖状態にあるときから、使用者が押釦８５を押圧操作すると、前述のごとく、ラッチ７４が本体８１の係止部７５との係合を解除されると共に、ラッチ７４によるレバー１０３を介してのスイッチ１０５の操作が解除されるので、食器洗浄機の運転が実行できない状態となる。
【００６１】
この後、取手８６に手を懸けて扉８４を手前に引くと、図１０（ロ）に示すように、下扉８４ａが支軸８７を中心に前下方へ回動し、ギヤ１２５が反時計回りに回転するから、それと噛合したギヤ１２６が時計回りに回転し、レバー１２８を同方向に回動させる。これにより、連結部材１３０を介して上扉８４ｂが連結部１２９を下方に引かれ、溝１２１，１２２を下扉８４ａの張出部８９が有した突起１２３，１２４に沿わせて下方へ移動させることにより、上扉８４ｂが下扉８４ａに対して下方へスライドし、最終的に、図１０（ハ）に示すように、上扉８４ｂ及び下扉８４ａがともに水平状態となって内面部を上に向け、下扉８４ａの上に上扉８４ｂが重なって開口部８３を開放した状態となる。
【００６２】
そして、上述のように開放した扉８４を閉鎖させるには、取手８６に手を懸けて上扉８４ｂを引き上げる。すると、上述とは逆に、下扉８４ａが支軸８７を中心に後上方へ回動し、ギヤ１２５が時計回りに回転するから、ギヤ１２６は反時計回りに回転し、レバー１２８を同方向に回動させる。これにより、連結部材１３０を介して上扉８４ｂが連結部１２９を前方にそして上方に押し出され、溝１２１，１２２を張出部８９の突起１２３，１２４に沿わせて前方へそして上方へ移動させることにより、上扉８４ｂが下扉８４ａに対して前方へそして上方へスライドし、最終的に、図１０（ハ）に示したように、上扉８４ｂ及び下扉８４ａが共に垂直状態となって内面部を後方に向け、下扉８４ａの上に上扉８４ｂが重なって開口部８３を閉鎖した状態となる。又、このときに、下扉８４ａと上扉８４ｂは、表面が面一となる。更に、ラッチ７４が係止部７５に係合し、扉４２を閉鎖状態にロックすると共に、レバー１０３を介してスイッチ１０５を操作し、食器洗浄機の運転が実行できるようになる。
【００６３】
このように本第３実施例においては、扉８４が開放するときに、下扉８４ａの回動方向とは反対の方向に回動するレバー１２８を有し、このレバー１２８と上扉８４ｂとを連結部材１３０で連結することにより、上扉８４ｂが下扉８４ａの回動に連動してスライドするようにしている。
これにより、下扉８４ａに対する上扉８４ｂのスライドを、簡単な構成で、より確実に達成できる。
【００６４】
［第４実施例］
図１１に示す第４実施例においては、扉８４（下扉８４ａ及び上扉８４ｂ）が第２実施例と同様の構成にて、そのうちの下扉８４ａの下部から後方に延設した連結部１４１の先端部と本体８１との間に引張コイルスプリング１４２を張架している。又、それより上方において、本体８１には、連結部材１４３を支軸１４４によって上下回動可能に支持し、この連結部材１４３の先端部に、上扉８４ｂの連結部１２９を連結ピン１４５によって上下回動可能に連結している。そして、本体８１と連結部材１４３の中間部との間には、引張コイルスプリング１４６を張架している。
【００６５】
このうち、引張コイルスプリング１４６は、上扉８４ｂに閉鎖力を付与する扉閉鎖付勢手段であり、引張コイルスプリング１４２は、下扉８４ａに閉鎖状態で開放力を付与し、閉鎖状態で開放力を付与する扉開閉付勢手段であって、図１１の（イ）に示す扉８４の閉鎖状態では、引張コイルスプリング１４２により付勢された下扉８４ａの開放方向のモーメントと、上扉８４ｂの自重による開放方向のモーメントとの合成モーメントが、引張コイルスプリング１４６により付勢された上扉８４ｂの閉鎖方向のモーメントより勝るようにしている。
【００６６】
以上の構成にて、扉８４（下扉８４ａ及び上扉８４ｂ）が図１１（イ）に示す閉鎖状態にあるときから、使用者が押釦８５を押圧操作した後、取手８６に手を懸けて扉８４を手前に引くと、図１１（ロ）に示すように、引張コイルスプリング１４２により付勢された下扉８４ａの開放方向のモーメントと、上扉８４ｂの自重による開放方向のモーメントとの合成モーメントにより、下扉８４ａが支軸８７を中心に前下方へ回動し、それに伴って、上扉８４ｂが、溝８８を下扉８４ａの張出部８９が有した突起９０に沿わせて下方へ移動させることにより、下扉８４ａに対して下方へスライドし、最終的に、図１１（ハ）に示すように、上扉８４ｂ及び下扉８４ａがともに水平状態となって内面部を上に向け、下扉８４ａの上に上扉８４ｂが重なって開口部８３を開放した状態となる。
【００６７】
そして、開放した扉８４を閉鎖させるには、取手８６に手を懸けて上扉８４ｂを引き上げる。すると、上述とは逆に、下扉８４ａが支軸８７を中心に後上方へ回動し、それに伴い、上扉８４ｂが溝８８を下扉８４ａの張出部８９が有した突起９０に沿わせて上方へ移動させることにより、下扉８４ａに対して上方へスライドし、最終的に、図１１（イ）に示したように、上扉８４ｂ及び下扉８４ａがともに垂直状態となって内面部を後に向け、下扉８４ａの上に上扉８４ｂが重なって開口部８３を閉鎖した状態となる。又、このときに、下扉８４ａと上扉８４ｂは、表面が面一となる。
従って、このようにしても、第２実施例と同様の作用効果を得ることができる。
【００６８】
このほか、本発明は上記し且つ図面に示した実施例にのみ限定されるものではなく、要旨を逸脱しない範囲内で適宜変更して実施し得る。
【図面の簡単な説明】
【００６９】
【図１】本発明の第１実施例を示す破断側面図で、（イ）が扉閉鎖状態、（ロ）が扉開放（閉鎖）途中状態、（ハ）が扉開放状態をそれぞれ示す図
【図２】破断斜視図で、（イ）が扉閉鎖状態、（ロ）が扉開放（閉鎖）途中状態、（ハ）が扉開放状態をそれぞれ示す図
【図３】全体の外観斜視図
【図４】図２（ハ）のＡ−Ａ線に沿う部分断面図
【図５】図２（イ）のＢ−Ｂ線に沿う部分断面図
【図６】本発明の第２実施例を示す図３相当図
【図７】図１相当図
【図８】破断側面図で、（イ）が下食器かご引出し状態、（ロ）が上食器かご引出し状態をそれぞれ示す図
【図９】図８（イ）のＣ−Ｃ線に沿う部分断面図（図４相当図）
【図１０】本発明の第３実施例を示す図１相当図
【図１１】本発明の第４実施例を示す図１相当図
【図１２】従来の第１例を示す扉開放状態の側面図
【図１３】従来の第２例を示す図１２相当図
【図１４】従来の第３例を示す図１２相当図
【図１５】従来の第４例を示す図１２相当図
【符号の説明】
【００７０】
図面中、４１は本体、４２は扉、４２ａは下扉、４２ｂは上扉、４５は洗浄室、４６は開口部、５２は取手、５６は溝（ガイド部）、５７は突起（係合部）、８１は本体、８２は洗浄室、８３は開口部、８４は扉、８４ａは下扉、８４ｂは上扉、８６は取手、８８は溝（ガイド部）、８９は張出部（係合部材）、９０は突起（係合部）、９６は連結部材、９８は溝（ガイド部）、１０２は凹部（嵌入部）、１１１は上扉の左右両側壁の下部（上扉の一部）、１２１，１２２は溝（ガイド部）、１２３，１２４は突起（係合部）、１２８はレバー、１４３は連結部材を示す。
【図１】
2006136613.tif 000003
【図２】
2006136613.tif 000004
【図３】
2006136613.tif 000005
【図４】
2006136613.tif 000006
【図５】
2006136613.tif 000007
【図６】
2006136613.tif 000008
【図７】
2006136613.tif 000009
【図８】
2006136613.tif 000010
【図９】
2006136613.tif 000011
【図１０】
2006136613.tif 000012
【図１１】
2006136613.tif 000013
【図１２】
2006136613.tif 000014
【図１３】
2006136613.tif 000015
【図１４】
2006136613.tif 000016
【図１５】
2006136613.tif 000017